(57)【特許請求の範囲】
【請求項１】
入力信号の所定の変化を検知して検知信号を出力する検知手段と、
前記入力信号を記録媒体上の所定の領域に巡回記録する記録手段と、
前記検知手段から出力される前記検知信号に基づいて前記記録手段への前記入力信号の記録を制御する記録制御手段とを有し、
前記検知手段は、前記所定の変化として前記入力信号における入力ソースの切り替え、チューナーのチャンネル切り替え、または番組の終了および開始を検知した場合に前記検知信号を出力し、
前記記録制御手段は、前記検知信号に基づいて、前記入力信号が記録された前記記録媒体上における上書き禁止領域を変更する信号記録装置。
【請求項２】
記録媒体上の所定の領域の配置が前記記録媒体上において変更可能であることを特徴とする請求項１に記載の信号記録装置。
【請求項３】
入力信号の所定の変化を検知して検知信号を出力し、
前記入力信号を記録媒体上の所定の領域に巡回記録するに際し、前記検知信号に基づいて前記入力信号の記録を制御する信号記録方法であって、
前記所定の変化として前記入力信号における入力ソースの切り替え、チューナーのチャンネル切り替え、または番組の終了および開始を検知した場合に前記検知信号を出力し、
前記検知信号に基づいて、前記入力信号が記録された前記記録媒体上における上書き禁止領域を変更する信号記録方法。
【請求項４】
所定の変化の最新の時点から現在までの期間に対応する記録済みの領域を上書きを禁止する領域に設定することを特徴とする請求項３に記載の信号記録方法。
【請求項５】
所定の変化の最新の時点から、外部より記録の停止を指示するまでの期間に対応する記録済みの領域を上書きを禁止する領域に設定することを特徴とする請求項３に記載の信号記録方法。
【請求項６】
直前の所定の変化の時点から、その次の所定の変化の時点までの期間に対応する記録済みの領域を上書きを禁止する領域に設定することを特徴とする請求項３に記載の信号記録方法。
【請求項７】
記録媒体上の所定の領域の配置が前記記録媒体上において変更可能であることを特徴とする請求項４乃至６のいずれかに記載の信号記録方法。
【請求項８】
記録媒体上の所定の領域の容量を一定に保つことを特徴とする請求項７に記載の信号記録方法。
【発明の詳細な説明】
【０００１】
【発明の属する技術分野】
本発明は、テレビジョン放送信号等の記録再生装置に係り、ユーザーが記録を希望した時点以前の信号の記録が可能な信号記録装置に関する。
【０００２】
【従来の技術】
従来、半導体メモリやハードディスク等の高速にランダムアクセス可能な記録媒体を用いてテレビジョン放送等の信号を記録するに際し、ユーザーが記録を希望した時点以前の信号の記録再生を可能とするために記録装置の信号記録領域をリングバッファ状に使用し巡回記録を行って、エンドレスな常時記録を実現する技術が、例えば、特開平１０−２０８３９２号公報に開示されている。
【０００３】
テレビジョン放送やラジオ放送等の映像・音声記録にこの技術を用いることにより、視聴者が番組視聴中に保存の必要がある内容を発見し記録を思い立った場合にもその時点以前の番組内容が記録されているため、ユーザーが希望する内容の記録再生が可能である。
【０００４】
以下、従来の装置について説明する。
図７は、従来装置のブロック図であり、図において、５１は通信衛星（ＣＳ）あるいは放送衛星（ＢＳ）を介し送信される映像及び音声を圧縮符号化した信号（以下、映像／音声信号と称する）を受信するチューナ、５２はチューナ５１より受信した映像／音声信号を記憶する、ランダムアクセス可能な記憶装置（ハードディスク、光磁気ディスク、書き換え可能なＤＶＤ（Ｄｉｇｉｔａｌ  Ｖｅｒｓａｔｉｌｅ  Ｄｉｓｋ）等より構成される）である。
【０００５】
なお、記憶装置５２は記録と再生とを独立して制御可能であり、チューナ５１より受信した映像／音声信号の記憶媒体への記録動作および再生動作を、時間的に同時に、あるいは時間的に順次に行うことが可能である。
【０００６】
５３はバスＢＵＳを介し接続される装置各部を制御するＣＰＵ（中央処理装置）、５４は読み出し専用メモリ（ＲＯＭ）である。ＣＰＵ５３はＲＯＭ５４に記憶された所定の制御プログラムを実行することにより後述する動作が実現される。５５は読み書き可能なメモリ（ＲＡＭ）であり、ＣＰＵ５３が制御プログラムを実行する際のワークエリアとして用いられる。
【０００７】
５６は受信周波数の設定、記録／再生の開始、終了等、種々の指示操作や設定操作を行うための操作部であり、ユーザーが入力する指示操作や設定状態に対応した信号を発生する。
【０００８】
５７はＣＲＴ（Ｃａｔｈｏｄｅ  Ｒａｙ  Ｔｕｂｅ）あるいは液晶パネルで構成された表示部であり、チューナ５１より受信または記憶装置５２より再生した映像信号に対応する映像を表示するほかＣＰＵ５３が生成する記憶領域管理情報等を表示する。
【０００９】
５８はサウンドシステムであり、チューナ５１より受信または記憶装置５２より再生した音声信号に対応する音をスピーカより発音する。
【００１０】
以下、その動作について説明する。
（１）操作部５６においてユーザーの所望の放送チャンネルに受信周波数が設定されると、チューナ５１は設定されたチャンネルの映像／音声信号を受信する。
【００１１】
この映像／音声信号は、例えばＭＰＥＧ２によって圧縮符号化された状態で供給される。そして、映像／音声信号の受信データは、チューナ５１を経た後、ＲＡＭ５５の受信用ワークエリアに一旦記憶される。
【００１２】
（２）受信データの記録には、受信した番組の内容をすべて記録する通常記録と、受信した番組を選択的に記録する選択記録の２つの記録モードがある。以下では基本的な、通常記録モードについて説明する。
【００１３】
通常記録モードでは、ＲＡＭ５５の受信用ワークエリアに所定量の受信データが蓄積されると、ＣＰＵ５１は受信データをすべて記憶装置５２へ転送するようＲＡＭ５５を制御し、記憶装置５２は転送された受信データを記録する。
【００１４】
ここで、記憶装置５２の記憶領域は、先頭アドレスと最終アドレスとを論理的につないだリングバッファとして構成されており、ＣＰＵ５１はこのリングバッファをあたかもエンドレステープのように使用して受信データを巡回的に書き込んでいく。
【００１５】
すなわち、通常記録モードの場合には、放送を受信している間、常にその放送内容は記憶装置５２に記録されている。そして、記憶装置５２の書き込みヘッドが示す位置（すなわち書込ポインタ）がリングバッファを一巡すると、前に記録したデータの上に新しいデータが上書きされる。
【００１６】
図８は、記憶装置５２において構成されるリングバッファの内容を示す模式図である。
同図において、Ｗは書込ポインタであり、図の例では番組Ｄを記録しているところである。一方、Ｒは読出ポインタであり、図の例では番組Ａを再生しているところである。
【００１７】
これら書込ポインタＷと読出ポインタＲは、それぞれ書き込みまたは読み出しが進行すると、図中左回り（反時計周りに、両ポインタが移動する）に進められる。
【００１８】
図において、書込ポインタＷと読出ポインタＲの間に挟まれた左側の領域Ｓ１は、記録が済んではいるがまだ再生が済んでいないデータ領域である。なおこの領域Ｓ１は、ここではデータの上書きが禁止される。
【００１９】
一方、領域Ｓ１を除く領域Ｓ２は、既に再生が済んでいるデータ領域である。
なお、この領域Ｓ２は、ここでは新しいデータの上書きが許可されている。
【００２０】
例えば、番組Ａの再生が済むと、読出ポインタＲは番組Ｂの先頭アドレスに移動し、番組Ａは上書き可能な領域として解放され、領域Ｓ２に属することになる。
【００２１】
各番組Ａ、Ｂ、Ｃ、Ｄのデータの先頭には各々タグ信号ＴＡ、ＴＢ、ＴＣ、ＴＤが記録されており、これにより番組を任意に選択して再生することが可能になっている。このタグ信号は、放送される内容を示す（例えば、その内容が、コマーシャルメッセージであることを表わす）。
【００２２】
例えば、番組Ａ、Ｂを飛ばして番組Ｃを先に再生した場合、図９に示すように、再生が済んだ番組Ｃは、領域Ｓ１から除外され、上書き可能な領域Ｓ２として解放される。
【００２３】
こうした記憶領域の管理は、番組データの連結リストを定義するポインタ（次に続く番組データの先頭アドレスを示すポインタ）の付け替えを行うことにより可能となる。
【００２４】
すなわち、各番組データは、次に続く番組データを指定するポインタ（図示略）を含めて記録されており、上記の例の場合、番組Ｂのポインタは番組Ｃではなく番組Ｄのタグ信号を指定し、番組Ｃは領域Ｓ２に属する他の番組データのポインタによって指定されるよう順序の入れ換え処理が行われる。
【００２５】
こうして、再生が終了した番組のデータ領域は、新たな番組データを上書きするための領域Ｓ２として解放される。
【００２６】
【発明が解決しようとする課題】
実際面における巡回記録の使用の形態を想定する時、例えば、入力ソースを切り替えたり、チューナのチャンネル切替、番組の終了および開始等、一連のまとまった情報として、記録・再生操作を行う方が、ユーザーにとって利便性がある。また、この場合、再生時点から溯って、よりその時点に近いデータを獲得できる方がよい。
【００２７】
しかしながら、上記のような一連のまとまった情報としてデータの記録・再生を行う場合、上述した従来装置においては、上書きが禁止される領域と上書きが可能な領域とを、記録されたデータの再生の経過に基づいて切り替えるよう構成しているため、ユーザーの任意の意志によらずに領域の切替が行われてしまう。
【００２８】
すなわち、従来装置では、保存される信号の始点がユーザーの意図した信号の先頭とはならず、ユーザーが保持を希望する情報が欠落したり、逆に情報が過剰であるために媒体の有効活用ができないことが発生しうる。
【００２９】
本発明は、上述のような課題を解決するためになされたもので、通常記録の最中における入力信号の所定の変化を検知し、その時点以降のみの記録領域を上書き禁止とすることにより、上記利便性を実現するように、ユーザーが必要とする一連のまとまった情報に対応する記録データの記録を可能にすると共に、記録媒体を有効活用し得る信号記録装置および信号記録方法を提供することを目的とする。
【００３０】
【課題を解決するための手段】
本発明に係る信号記録装置は、入力信号の所定の変化を検知して検知信号を出力する検知手段と、前記入力信号を記録媒体上の所定の領域に巡回記録する記録手段と、前記検知手段から出力される前記検知信号に基づいて前記記録手段への前記入力信号の記録を制御する記録制御手段とを有することを特徴とする。
【００３１】
また、記録制御手段は、外部制御信号を入力する制御信号入力手段をさらに備え、検知信号および前記外部制御信号に基づいて記録手段への入力信号の記録を制御することを特徴とする。
【００３２】
また、記録制御手段は、記録媒体上の所定の領域における上書きを禁止する領域を入力信号の所定の変化の検知毎に変更することを特徴とする。
【００３３】
また、記録媒体上の所定の領域の配置が前記記録媒体上において変更可能であることを特徴とする。
【００３４】
本発明に係る信号記録方法は、入力信号の所定の変化を検知して検知信号を出力し、前記入力信号を記録媒体上の所定の領域に巡回記録するに際し前記検知信号に基づいて前記入力信号の記録を制御することを含むことを特徴とする。
【００３５】
また、入力信号の巡回記録を制御するに際し、さらに外部制御信号を入力し、検知信号および前記外部制御信号に基づいて入力信号の巡回記録を制御することを特徴とする。
【００３６】
また、入力信号の巡回記録を制御するに際し、記録媒体上の所定の領域における上書きを禁止する領域を入力信号の所定の変化の検知毎に変更することを特徴とする。
【００３７】
また、所定の変化の最新の時点から現在までの期間に対応する記録済みの領域を上書きを禁止する領域に設定することを特徴とする。
【００３８】
また、所定の変化の最新の時点から、外部より記録の停止を指示するまでの期間に対応する記録済みの領域を上書きを禁止する領域に設定することを特徴とする。
【００３９】
また、直前の所定の変化の時点から、その次の所定の変化の時点までの期間に対応する記録済みの領域を上書きを禁止する領域に設定することを特徴とする。
【００４０】
また、記録媒体上の所定の領域の配置が前記記録媒体上において変更可能であることを特徴とする。
【００４１】
また、記録媒体上の所定の領域の容量を一定に保つことを特徴とする。
【００４２】
【発明の実施の形態】
以下、この発明をその実施の形態を示す図面に基づいて具体的に説明する。
【００４３】
実施の形態
図１は本発明の実施の形態である信号記録装置のブロック図であり、図において、１は通信衛星（ＣＳ）あるいは放送衛星（ＢＳ）を介し送信される映像及び音声を圧縮符号化した信号（以下、映像／音声信号と称する）を受信するチューナ、２はチューナ１より受信した映像／音声信号を記憶する、ランダムアクセス可能な記憶装置（ハードディスク、光磁気ディスク、書き換え可能なＤＶＤ（Ｄｉｇｉｔａｌ  Ｖｅｒｓａｔｉｌｅ  Ｄｉｓｋ）等より構成される）である。
【００４４】
なお、記憶装置２は記録と再生とを独立して制御可能であり、チューナ１より受信した映像／音声信号の記憶媒体への記録動作および再生動作を、時間的に同時に、あるいは時間的に順次に行うことが可能である。
【００４５】
３はバスＢＵＳを介し接続される装置各部を制御するＣＰＵ（中央処理装置）、４は読み出し専用メモリ（ＲＯＭ）である。ＣＰＵ３はＲＯＭ４に記憶された所定の制御プログラムを実行することにより後述する動作が実現される。５は読み書き可能なメモリ（ＲＡＭ）であり、ＣＰＵ３が制御プログラムを実行する際のワークエリアとして用いられる。
【００４６】
６は受信周波数の設定、記録／再生の開始、終了等、種々の指示操作や設定操作を行うための操作部であり、ユーザーが入力する指示操作や設定状態に対応した信号を発生する。
【００４７】
７はＣＲＴ（Ｃａｔｈｏｄｅ  Ｒａｙ  Ｔｕｂｅ）あるいは液晶パネルで構成された表示部であり、チューナ１より受信または記憶装置２より再生した映像信号に対応する映像を表示するほかＣＰＵ３が生成する記憶領域管理情報等を表示する。
【００４８】
８はサウンドシステムであり、チューナ１より受信または記憶装置２より再生した音声信号に対応する音をスピーカより発音する。
【００４９】
以下、その動作について説明する。
（１）操作部６においてユーザーの所望の放送チャンネルに受信周波数が設定されると、チューナ１は設定されたチャンネルの映像／音声信号を受信する。
【００５０】
この映像／音声信号は、例えばＭＰＥＧ２によって圧縮符号化された状態で供給される。そして、映像／音声信号の受信データは、チューナ１を経た後、ＲＡＭ５の受信用ワークエリアに一旦記憶される。
【００５１】
（２）受信データの記録には、受信した番組の内容をすべて記録する通常記録と、受信した番組を選択的に記録する選択記録の２つの記録モードがある。以下では基本的な、通常のリングバッファとしての形態である通常記録モードについて説明する。
【００５２】
図２は、本実施の形態において特徴的な記憶装置２についてのブロック図である。図において、１２は入力信号１１の出力関係を制御する入出力信号処理手段、１７は入出力信号処理手段１２から出力される信号の記録を行う記録媒体、１４は入力信号１１における後述する信号変化を検出する入力信号変化検知手段、１９は外部からの制御信号１８に基づいて入力信号１１の記録を制御する制御信号外部入力手段である。
【００５３】
ここにおける入力信号１１は、例えば、放送により供給される情報として映像および音声信号、映像信号のみ、音声信号のみといった、種々の形態を想定できる。また、それら種々の形態の入力信号は、圧縮された情報であっても、圧縮されていない情報であってもいずれでもよい。
【００５４】
１６は入力信号変化検出手段１４および制御信号外部入力手段１９の出力に基づいて記録媒体１７への信号記録を制御する制御信号を発生する記録制御手段である。
【００５５】
以下、このように構成された信号記録装置の動作を説明する。入力信号１１は入出力信号処理手段１２に入力され、記録媒体１７に記録されると同時にモニタ出力１３として出力される。
【００５６】
入力信号１１はまた入力信号変化検知手段１４にも入力され、所定の信号変化として、例えば、入力ソースの切り替えやチューナーのチャンネル切り替え、また番組の終了および開始等が検出される。すなわち、これらの、信号変化は、ユーザーが必要とする一連のまとまった情報に対応する。以下では、簡単のため、入力ソースの切り替えが行われた場合を例に説明する。
【００５７】
入力信号変化検知手段１４（検知手段）は所定の信号変化を検出すると、検知信号を記録制御手段１６に出力し、記録制御手段１６を介して記録媒体１７の記録制御を行う。また、制御信号外部入力手段１９は外部からの制御信号１８（外部制御信号）に基づき、記録制御手段１６を介して記録媒体１７の記録制御を行い、入出力信号処理手段１２から出力される記録信号１５を記録媒体１７に記録する。ここで、記録制御手段１６は検知手段から出力される検知信号に基づいて記録手段への入力信号の記録を制御する。
【００５８】
以下、このように構成した信号記録再生装置の動作を信号記録領域の状態を表す図面に基づいて説明する。
【００５９】
（記録媒体１７における信号記録領域の状態例１）
図３は、記録媒体１７における信号記録領域の状態の変化を概略的に示している。図中Ａ−Ａ’の領域は、図８または図９に示した巡回する記録領域に相当する。図３では、記録媒体１７のある信号記録領域に巡回的に常時記録（巡回記録）される、リングバッファを概念的に示している。このときの記録手段は記録媒体１７および図示しない記録ヘッド等の記録部を有して構成される。
【００６０】
記録が時刻Ｔ０に開始され、時刻Ｔ１に入力ソースの切り替えが行われた場合、入力信号変化検知手段１４は、この切り替えを検知する。なお、時刻Ｔ０から時刻Ｔ１までの期間に相当する信号記録領域は、上書き禁止の設定がなされる。
【００６１】
この検知の時点で、それまで上書きを禁止に設定されていた時刻Ｔ０から時刻Ｔ１まで期間に対応する信号記録領域の上書き禁止の設定を解除し、記録可能な領域として再割り当てを行う。
【００６２】
続いて、時刻Ｔ１から現在時刻Ｔまでの期間に対応する信号記録領域の上書き禁止の設定がなされ、記録された信号が保持される。
【００６３】
さらに、時刻Ｔ２に新たに入力ソースの切り替えが行われた場合、入力信号の所定の変化を検知すると、それまで上書き禁止に設定されていた時刻Ｔ１から時刻Ｔ２までの信号記録領域の上書き禁止の設定を解除する。これにより、時刻Ｔ２から現在時刻Ｔまでの期間に対応する信号記録領域に記録された信号が保持される。
【００６４】
以降、このような動作が繰り返し行われることで、入力信号の所定の変化を検知した時点から現在時刻までの期間に対応する信号を記録媒体１７上に記録（保持）する。すなわち、記録媒体上の所定の領域における上書きを禁止する領域を入力信号の所定の変化の検知毎に変更する。
【００６５】
ここでは、特に、所定の変化の最新の時点から現在までの期間に対応する記録済みの領域を上書き禁止する領域に設定する。
【００６６】
（記録媒体１７における信号記録領域の状態例２）
図４は、記録媒体１７における信号記録領域の状態の変化を概略的に示している。図中Ａ−Ａ’の領域は、図８または図９に示した巡回する記録領域に相当する。図４では、記録媒体１７のある信号記録領域に巡回的に常時記録される、リングバッファを概念的に示している。
【００６７】
上述した、図３を参照して説明した例においては、入力信号の所定の変化を検知した場合における信号記録領域の上書きの禁止または解除の設定について説明したが、図４を参照して説明する例は、リングバッファへの信号の記録中であって、ユーザーの記録停止指示を受けた場合における信号記録領域の上書きの禁止または解除の設定について説明する。
【００６８】
記録が時刻Ｔ０に開始され、時刻Ｔ１に入力ソースの切り替えが行われた場合、入力信号変化検知手段１４は、この切り替えを検知する。なお、時刻Ｔ０から時刻Ｔ１までの期間に相当する信号記録領域は、上書き禁止の設定がなされる。
【００６９】
この検知の時点で、それまで上書きを禁止に設定されていた時刻Ｔ０から時刻Ｔ１までの期間に対応する信号記録領域の上書き禁止の設定を解除し、記録可能な領域として再割り当てを行う。
【００７０】
続いて、時刻Ｔ１から現在時刻Ｔまでの期間に対応する信号記録領域の上書き禁止の設定がなされ、記録された信号が保持される。
【００７１】
さらに、ユーザーから任意に、あるいは装置側に予め設定された時刻Ｔ２の時点に、リングバッファとしての動作を停止する旨の記録停止指示を受けた場合、時刻Ｔ１から時刻Ｔ２までの期間に対応する信号記録領域の上書き禁止の設定がなされ、記録された信号が保持される。
【００７２】
ここでは、特に、所定の変化の最新の時点から、外部よりの記録の停止を指示するまでの期間に対応する記録済みの領域の上書きを禁止する領域に設定する。
【００７３】
（記録媒体１７における信号記録領域の状態例３）
図５は、記録媒体１７における信号記録領域の状態の変化を概略的に示している。図中Ａ−Ａ’の領域は、図８または図９に示した巡回する記録領域に相当する。図５では、記録媒体１７のある信号記録領域に巡回的に常時記録される、リングバッファを概念的に示している。
【００７４】
上述した、図４を参照して説明した例においては、ユーザーの記録停止指示を受けた場合における信号記録領域の上書きの禁止または解除の設定について説明したが、図５を参照して説明する例は、ユーザーの記録停止指示を受けた以降に入力信号の所定の変化を検知した場合における信号記録領域の上書きの禁止または解除の設定について説明する。
【００７５】
記録が時刻Ｔ０に開始され、時刻Ｔ１に入力ソースの切り替えが行われた場合、入力信号変化検知手段１４は、この切り替えを検知する。なお、時刻Ｔ０から時刻Ｔ１までの期間に相当する信号記録領域は、上書き禁止の設定がなされる。
【００７６】
この検知の時点で、それまで上書きを禁止に設定されていた時刻Ｔ０から時刻Ｔ１まで期間に対応する信号記録領域の上書き禁止の設定を解除し、記録可能な領域として再割り当てを行う。
【００７７】
続いて、時刻Ｔ１から現在時刻Ｔまでの期間に対応する信号記録領域の上書き禁止の設定がなされ、記録された信号が保持される。
【００７８】
さらに、ユーザーから任意に、あるいは装置側に予め設定された時刻Ｔ２の時点に、リングバッファとしての動作を停止する旨の記録停止指示を受けた場合、時刻Ｔ１から時刻Ｔ２までの期間に対応する信号記録領域の上書き禁止の設定がなされ、記録された信号が保持される。
【００７９】
その後、時刻Ｔ３に入力ソースの切り替えが行われた場合、入力信号変化検知手段１４は、この切り替えを検知する。なお、時刻Ｔ２から時刻Ｔ３までの期間に相当する信号記録領域は、上書き禁止の設定がなされる。
【００８０】
従って、時刻Ｔ１から時刻Ｔ２、および時刻Ｔ２から時刻Ｔ３、すなわち、最終的に、時刻Ｔ１から時刻Ｔ３までの期間に対応する信号記録領域の上書き禁止の設定がなされ、記録された信号が保持される。
【００８１】
ここでは、特に、直前の所定の変化の時点から、その次の所定の変化の時点までの期間に対応する記録済みの領域の上書きを禁止する領域に設定する。
【００８２】
（記録媒体１７における信号記録領域の状態例４）
図６は、記録媒体１７における信号記録領域の状態の変化を概略的に示している。図中Ａ−Ａ’の領域は、図８または図９に示した巡回する記録領域に相当する。すなわち、図６では、記録媒体１７のある信号記録領域に巡回的に常時記録される、リングバッファを概念的に示している。
【００８３】
また、図中Ａ’−Ｂの領域は、上記リングバッファの構成以外の記録領域に相当する。すなわち、巡回する記録領域以外の記録領域として割り当てられている。
【００８４】
ここでは、図３から図５をそれぞれ参照して説明したような動作により設けられた上書きを禁止した領域が上記リングバッファにある場合に、初めに割り当てられた図中Ａ−Ａ’で示すリングバッファの領域の容量を変化させないようにした例を説明する。
【００８５】
図６に示す例では、領域Ａ−Ａ’において、リングバッファを構成した際に、当該領域Ａ−Ａ’中の領域Ｃ−Ｃ’を上書きが禁止された領域として示している。
【００８６】
図示するように、領域Ｃ−Ｃ’を領域Ａ−Ａ’中に設けた場合、領域Ａ−Ａ’において上書き可能な容量は、領域Ｃ−Ｃ’の分だけ減少する。そこで、この領域Ｃ−Ｃ’の分の容量を確保するために、領域Ａ’−Ｂに領域Ｃ−Ｃ’と同容量の領域Ｄ−Ｄ’を設定する。
【００８７】
この場合、領域Ａ’−Ｂにある領域Ｄ−Ｄ’を、リングバッファの一部として、記録制御手段１６の制御対象とすることができる。これにより、リングバッファとして使用される領域Ａ−Ａ’の容量が減少されることがない。すなわと、記録媒体上の所定の領域の配置が記録媒体上において変更可能であり、所定の領域の容量を一定に保つことができる。
【００８８】
なお、これまでの説明においては、信号記録装置について説明したが、記録機能と併せて、これまで説明した記録形態によって記録された信号の再生を行う機能を有してもよい。
【００８９】
【発明の効果】
本発明は、以上説明したように構成されているので、以下に示すような効果を奏する。
【００９０】
本発明に係る信号記録装置は、入力信号の所定の変化を検知して検知信号を出力する検知手段と、前記入力信号を記録媒体上の所定の領域に巡回記録する記録手段と、前記検知手段から出力される前記検知信号に基づいて前記記録手段への前記入力信号の記録を制御する記録制御手段とを有することを特徴とするので、入力信号の所定の変化に対応する巡回記録が可能となる。
【００９１】
また、記録制御手段は、外部制御信号を入力する制御信号入力手段をさらに備え、検知信号および前記外部制御信号に基づいて記録手段への入力信号の記録を制御することを特徴とするので、入力信号の所定の変化に対応すると共に外部制御信号に対応する巡回記録が可能となる。
【００９２】
また、記録制御手段は、記録媒体上の所定の領域における上書きを禁止する領域を入力信号の所定の変化の検知毎に変更することを特徴とするので、入力信号の所定の変化の検知毎に順次上書きを禁止する領域を変更することができ、記録媒体を有効活用できる。
【００９３】
また、記録媒体上の所定の領域の配置が前記記録媒体上において変更可能であることを特徴とするので、記録媒体を有効活用できる。
【００９４】
本発明に係る信号記録方法は、入力信号の所定の変化を検知して検知信号を出力し、前記入力信号を記録媒体上の所定の領域に巡回記録するに際し前記検知信号に基づいて前記入力信号の記録を制御することを含むことを特徴とするので、入力信号の所定の変化に対応する巡回記録が可能となる。
【００９５】
また、入力信号の巡回記録を制御するに際し、さらに外部制御信号を入力し、検知信号および前記外部制御信号に基づいて入力信号の巡回記録を制御することを特徴とするので、入力信号の所定の変化に対応すると共に外部制御信号に対応する巡回記録が可能となる。
【００９６】
また、入力信号の巡回記録を制御するに際し、記録媒体上の所定の領域における上書きを禁止する領域を入力信号の所定の変化の検知毎に変更することを特徴とするので、入力信号の所定の変化の検知毎に順次上書きを禁止する領域を変更することができ、記録媒体を有効活用できる。
【００９７】
また、所定の変化の最新の時点から現在までの期間に対応する記録済みの領域を上書きを禁止する領域に設定することを特徴とするので、目的とする信号の先頭から巡回記録が可能になる。
【００９８】
また、所定の変化の最新の時点から、外部より記録の停止を指示するまでの期間に対応する記録済みの領域を上書きを禁止する領域に設定することを特徴とするので、目的とする信号の先頭から巡回記録が可能になる。
【００９９】
また、直前の所定の変化の時点から、その次の所定の変化の時点までの期間に対応する記録済みの領域を上書きを禁止する領域に設定することを特徴とするので、目的とする信号の先頭から巡回記録が自動で行える。
【０１００】
また、記録媒体上の所定の領域の配置が前記記録媒体上において変更可能であることを特徴とするので、記録媒体を有効活用できる。
【０１０１】
また、記録媒体上の所定の領域の容量を一定に保つことを特徴とするので、巡回記録に用いる領域の容量を一定に保つことができ巡回記録の時間管理が行い易くなる。
【図面の簡単な説明】
【図１】  本発明の実施の形態における、信号記録再生装置のブロック図である。
【図２】  本発明の実施の形態における、信号記録再生装置の記憶装置のブロック図である。
【図３】  本発明の実施の形態における、記録媒体における信号記録領域の状態例１である。
【図４】  本発明の実施の形態における、記録媒体における信号記録領域の状態例２である。
【図５】  本発明の実施の形態における、記録媒体における信号記録領域の状態例３である。
【図６】  本発明の実施の形態における、記録媒体における信号記録領域の状態例４である。
【図７】  従来の信号記録再生装置のブロック図である。
【図８】  従来の信号記録再生装置におけるリングバッファの内容を示す模式図である。
【図９】  従来の信号記録再生装置におけるリングバッファの内容を示す模式図である。
【符号の説明】
１１  入力信号、１２  入出力信号処理手段、１３  モニタ出力信号、１４  入力信号変化検知手段、１５  記録信号、１６  記録制御手段、１７  記録媒体、１８  外部制御信号、１９  制御信号外部入力手段。
【図１】
0004561007.tif 000002
【図２】
0004561007.tif 000003
【図３】
0004561007.tif 000004
【図４】
0004561007.tif 000005
【図５】
0004561007.tif 000006
【図６】
0004561007.tif 000007
【図７】
0004561007.tif 000008
【図８】
0004561007.tif 000009
【図９】
0004561007.tif 000010